【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
波長４５０ｎｍ以下の光束を出射する発光部を備えた光源手段と、前記光源手段の発光部から出射された光束を偏向手段に導光する第１の光学系と、前記偏向手段の偏向面により偏向された光束を被走査面上に結像させる第２の光学系と、を有する光走査装置において、
前記光源手段の発光部から出射された光束の光量を検出する光量検出手段と、前記光量検出手段の検出結果に基づき前記光源手段の発光部から出射される光束の光量を調整する光量補償手段を有し、
前記第１の光学系を構成する光学素子のうち少なくとも１つの光学素子は、プラスチック材料より成り、
前記光量検出手段は、前記プラスチック材料より成る光学素子を通過した光束を検出することを特徴とする光走査装置。
【請求項２】
波長４５０ｎｍ以下の光束を出射する発光部を備えた光源手段と、前記光源手段の発光部から出射された光束を偏向手段に導光する第１の光学系と、前記偏向手段の偏向面により偏向された光束を被走査面上に結像させる第２の光学系と、を有する光走査装置において、
前記光源手段の発光部から出射された光束の光量を検出する光量検出手段と、前記光量検出手段の検出結果に基づき前記光源手段の発光部から出射される光束の光量を調整する光量補償手段を有し、
前記第１の光学系を構成する光学素子のうち少なくとも１つの光学素子は、プラスチック材料より成り、
前記第２の光学系を構成する光学素子のうち少なくとも１つの光学素子は、プラスチック材料より成り、
前記光量検出手段は、前記第１の光学系及び前記第２の光学系を通過した光束を検出しており、
前記光量検出手段は、前記被走査面と光学的に等価な位置に配置されていることを特徴とする光走査装置。
【請求項３】
波長４５０ｎｍ以下の光束を出射する発光部を備えた光源手段と、前記光源手段の発光部から出射された光束を偏向手段に導光する第１の光学系と、前記偏向手段の偏向面により偏向された光束を被走査面上に結像させる第２の光学系と、を有する光走査装置において、
前記第１の光学系を構成する光学素子のうち少なくとも１つの光学素子は、プラスチック材料より成り、前記プラスチック材料より成る光学素子の耐久劣化に伴う透過率低下データを元に光量補償量を決定する光量補償量決定手段と、前記光量補償量決定手段からの光量補償量に基づき前記光源手段の発光部から出射される光束の光量を調整する光量補償手段と、を有することを特徴とする光走査装置。
【請求項４】
前記光量補償量決定手段は、前記光源手段の積算発光時間を元に前記プラスチック材料より成る光学素子の耐久劣化に伴う透過率低下データを作成することを特徴とする請求項３に記載の光走査装置。
【請求項５】
請求項１乃至４の何れか一項に記載の光走査装置と、前記被走査面に配置された感光体と、前記光走査装置で走査された光束によって前記感光体に形成された静電潜像をトナー像として現像する現像器と、現像されたトナー像を被転写材に転写する転写器と、転写されたトナー像を被転写材に定着させる定着器とを有することを特徴とする画像形成装置。
【請求項６】
請求項１乃至４の何れか一項に記載の光走査装置と、外部機器から入力したコードデータを画像信号に変換して前記光走査装置に入力せしめるプリンタコントローラとを有していることを特徴とする画像形成装置。
【請求項７】
請求項３又は４に記載の光走査装置と、外部機器から入力したコードデータを画像信号に変換して前記光走査装置に入力せしめるプリンタコントローラとを有する画像形成装置であって、前記光量補償量決定手段は、前記画像形成装置のプリント枚数を元に前記プラスチック材料より成る光学素子の耐久劣化に伴う透過率低下データを作成することを特徴とする画像形成装置。
【手続補正２】
【補正対象書類名】明細書
【補正対象項目名】００１３
【補正方法】変更
【補正の内容】
【００１３】
請求項１の発明の光走査装置は、
波長４５０ｎｍ以下の光束を出射する発光部を備えた光源手段と、前記光源手段の発光部から出射された光束を偏向手段に導光する第１の光学系と、前記偏向手段の偏向面により偏向された光束を被走査面上に結像させる第２の光学系と、を有する光走査装置において、
前記光源手段の発光部から出射された光束の光量を検出する光量検出手段と、前記光量検出手段の検出結果に基づき前記光源手段の発光部から出射される光束の光量を調整する光量補償手段を有し、
前記第１の光学系を構成する光学素子のうち少なくとも１つの光学素子は、プラスチック材料より成り、
前記光量検出手段は、前記プラスチック材料より成る光学素子を通過した光束を検出することを特徴としている。
【手続補正３】
【補正対象書類名】明細書
【補正対象項目名】００１４
【補正方法】変更
【補正の内容】
【００１４】
請求項２の発明の光走査装置は、
波長４５０ｎｍ以下の光束を出射する発光部を備えた光源手段と、前記光源手段の発光部から出射された光束を偏向手段に導光する第１の光学系と、前記偏向手段の偏向面により偏向された光束を被走査面上に結像させる第２の光学系と、を有する光走査装置において、
前記光源手段の発光部から出射された光束の光量を検出する光量検出手段と、前記光量検出手段の検出結果に基づき前記光源手段の発光部から出射される光束の光量を調整する光量補償手段を有し、
前記第１の光学系を構成する光学素子のうち少なくとも１つの光学素子は、プラスチック材料より成り、
前記第２の光学系を構成する光学素子のうち少なくとも１つの光学素子は、プラスチック材料より成り、
前記光量検出手段は、前記第１の光学系及び前記第２の光学系を通過した光束を検出しており、
前記光量検出手段は、前記被走査面と光学的に等価な位置に配置されていることを特徴としている。
【手続補正４】
【補正対象書類名】明細書
【補正対象項目名】００１５
【補正方法】変更
【補正の内容】
【００１５】
請求項３の発明の光走査装置は、
波長４５０ｎｍ以下の光束を出射する発光部を備えた光源手段と、前記光源手段の発光部から出射された光束を偏向手段に導光する第１の光学系と、前記偏向手段の偏向面により偏向された光束を被走査面上に結像させる第２の光学系と、を有する光走査装置において、
前記第１の光学系を構成する光学素子のうち少なくとも１つの光学素子は、プラスチック材料より成り、前記プラスチック材料より成る光学素子の耐久劣化に伴う透過率低下データを元に光量補償量を決定する光量補償量決定手段と、前記光量補償量決定手段からの光量補償量に基づき前記光源手段の発光部から出射される光束の光量を調整する光量補償手段と、を有することを特徴としている。
【手続補正５】
【補正対象書類名】明細書
【補正対象項目名】００１６
【補正方法】変更
【補正の内容】
【００１６】
請求項４の発明は請求項３の発明において、
前記光量補償量決定手段は、前記光源手段の積算発光時間を元に前記プラスチック材料より成る光学素子の耐久劣化に伴う透過率低下データを作成することを特徴としている。
【手続補正６】
【補正対象書類名】明細書
【補正対象項目名】００１７
【補正方法】変更
【補正の内容】
【００１７】
請求項５の発明の画像形成装置は、
請求項１乃至４の何れか一項に記載の光走査装置と、前記被走査面に配置された感光体と、前記光走査装置で走査された光束によって前記感光体に形成された静電潜像をトナー像として現像する現像器と、現像されたトナー像を被転写材に転写する転写器と、転写されたトナー像を被転写材に定着させる定着器とを有することを特徴としている。
【手続補正７】
【補正対象書類名】明細書
【補正対象項目名】００１８
【補正方法】変更
【補正の内容】
【００１８】
請求項６の発明の画像形成装置は、
請求項１乃至４の何れか一項に記載の光走査装置と、外部機器から入力したコードデータを画像信号に変換して前記光走査装置に入力せしめるプリンタコントローラとを有していることを特徴としている。
【手続補正８】
【補正対象書類名】明細書
【補正対象項目名】００１９
【補正方法】変更
【補正の内容】
【００１９】
請求項７の発明の画像形成装置は、
請求項３又は４に記載の光走査装置と、外部機器から入力したコードデータを画像信号に変換して前記光走査装置に入力せしめるプリンタコントローラとを有する画像形成装置であって、前記光量補償量決定手段は、前記画像形成装置のプリント枚数を元に前記プラスチック材料より成る光学素子の耐久劣化に伴う透過率低下データを作成することを特徴としている。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３５
【補正方法】変更
【補正の内容】
【００３５】
同図において１は光源手段であり、例えば波長４５０ｎｍ以下（本実施例では４０５ｎｍ）の光束を発振する窒化ガリウム系の青紫色の半導体レーザー（短波長レーザー）より成っている。本実施例では光源手段１に内蔵する光量検出手段(フォトディテクタ)で得られた信号に基づいて放射する光量を制御手段（不図示）により制御している。 ２は変換光学素子としてのコリメータレンズであり、光源手段１から発せられた光束を平行光束（もしくは収束光束、もしくは発散光束）に変換している。
【手続補正２１】
【補正対象書類名】明細書
【補正対象項目名】００７２
【補正方法】変更
【補正の内容】
【００７２】
即ち、同図において１０は光量検出手段であり、被走査面７と等価な位置（被走査面位置もしくはその近傍）に配設（配置）されており、被走査面７上を走査する走査光束の光量を検出している。
【手続補正２２】
【補正対象書類名】明細書
【補正対象項目名】００７７
【補正方法】変更
【補正の内容】
【００７７】
即ち、本実施例では入射光学系ＬＡの一部を構成するプラスチック材より成る光学素子の耐久劣化に伴う透過率変化（透過率低下データ）を予測し、その予測を元に光量補償量を決定する光量補償量決定手段１３と、該光量補償量決定手段１３からの光量補償量に基づき該光源手段１から発する光束の光量を調整する光量補償手段１１と、を具備し、該光量補償手段１１によりレーザドライバー１２を介して光源手段１から発する光束の光量制御を行っている。
【手続補正２３】
【補正対象書類名】明細書
【補正対象項目名】００７８
【補正方法】変更
【補正の内容】
【００７８】
本実施例における光量補償量決定手段１３は、光源手段１の積算発光時間をもとにプラスチック材より成る光学素子の耐久劣化に伴う透過率変化を予測（作成）している。
【手続補正２４】
【補正対象書類名】明細書
【補正対象項目名】００８４
【補正方法】変更
【補正の内容】
【００８４】
現像器１０７によって現像されたトナー像は、感光ドラム１０１の下方で、感光ドラム１０１に対向するように配設された転写ローラ（転写器）１０８によって被転写材たる用紙１１２上に転写される。用紙１１２は感光ドラム１０１の前方（図８において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。